(57)【要約】【課題】ドア本体から離れた位置から身を乗り出すことなく容易にドア本体の開閉操作を行うことのできるドア開閉操作装置を提供する。【解決手段】本発明に係るドア開閉操作装置は、鍵箱１１に出没可能に設けられたラッチ１２と係合してロック状態を維持する制御レバー２６，２７と、ドアハンドルの押し・引き操作に連動して制御レバー２６，２７とラッチ１２との係合状態を解除する伝達部材２８，２９と、ドアハンドルとは独立した離間位置に配置されて引き下げ可能な遠隔操作用のハンドルと、ハンドルと伝達部材２８，２９との間に架設されたワイヤ４２と、遠隔操作用のハンドルの引き下げ操作によってワイヤ４２にドアハンドルによる押し・引き操作と同一の押し・引き作用を発生させる複数のローラと、を備えていることを特徴とする。【選択図】図２
2011226242.tif 000002
【特許請求の範囲】
【請求項１】
鍵箱に出没可能に設けられたラッチと、前記鍵箱に設けられて前記ラッチと係合してロック状態を維持する制御レバーと、ドアハンドルの押し・引き操作に連動して前記制御レバーと前記ラッチとの係合状態を解除する伝達部材と、を備えたドア開閉操作装置において、
前記ドアハンドルとは独立した離間位置に配置されて引き下げ可能な遠隔操作用のハンドルと、該ハンドルと前記伝達部材との間に架設されたワイヤと、前記遠隔操作用のハンドルの引き下げ操作によって前記ワイヤに前記ドアハンドルによる押し・引き操作と同一の押し・引き作用を発生させる複数のローラと、を備えていることを特徴とするドア開閉操作装置。
【請求項２】
ドア本体が所定角度以上に開扉している際には前記ドア本体をさらに開扉方向に回動させるドアクローザを備えていることを特徴とするドア開閉操作装置。
【請求項３】
前記ワイヤと前記伝達部材との間に動作変換機構を備え、該動作変換機構は、
前記ワイヤが枢設される水平回転可能なレバーと、
該レバーの水平回転動作に伴ってスライド可能なように設けられるカムスライダーと、
該カムスライダーのスライド動作に伴って昇降可能に設けられ、前記伝達部材が係合するアームと、
を備え、前記遠隔操作用のハンドルを引き下げ操作すると、前記ワイヤを介して前記レバーが水平回転し、前記カムスライダーがスライドすることにより、前記アームが上昇し、前記伝達部材が前記制御レバーと前記ラッチとの係合状態を解除させるように動作することを特徴とする請求項１又は２に記載のドア開閉操作装置。
【発明の詳細な説明】
【技術分野】
【０００１】
本発明は、ドア開閉操作装置、特に、ドア本体に直接装着されるドアハンドルとは別に、ドア本体から離間した位置に開閉操作用のハンドルを配置したドア開閉操作装置に関する。
【背景技術】
【０００２】
従来から、ドア縦縁部の一方にヒンジ機構を介して建物の出入口開口縁部に回動可能に設置されたドア本体は、ドア縦縁部の他方に配置されたドアハンドルの押し・引き操作に連動して戸先から突出したラッチによるストライクとの係合状態を解除しつつドアを開扉するドア開閉操作装置が周知である。
【０００３】
また、ドア本体の一面側上部には、自動且つ緩やかにドア本体を閉扉するためのドアクローザを配置したものも周知である。このドアクローザはドアを開扉状態から閉扉状態とする際に、人手による操作や電気的な動力を用いることなくドア本体を閉扉することを目的としている。
【０００４】
しかしながら、図８に示すように、車椅子Ｓを利用した障害者等にあっては、ドア本体１の開扉操作と車椅子Ｓの運転操作とを同時に行う必要がある。特に、ドア本体１が一方側にのみ回動するタイプの場合にあっては、出入り方向によってはドアハンドル２を握持したままドア本体１を引き寄せるために車椅子Ｓを後退させないとならず、ドア本体１の開扉操作と車椅子Ｓの後退操作とを同時に行うのは非常に不便であった。
【０００５】
そこで、ドア本体１がある程度の回動角度（例えば、４５°以上）にまで手動操作によって回動した場合には、ドア本体１が人手による操作や電気的な動力を用いることなく、ドア本体１を開扉する自動開扉機能を具備したドアクローザ３が提案されている（例えば、特許文献１参照）。
【先行技術文献】
【特許文献】
【０００６】
【特許文献１】特開２００８−００２１２４号公報参照
【発明の概要】
【発明が解決しようとする課題】
【０００７】
しかしながら、上述したドアクローザ３にあっても、ドア本体１を所定角度にまで回動させるまでは、ドア本体１に設けられたドアハンドル２を握持してドア開扉操作をしなければならず、車椅子Ｓを利用している人にとっては、ドア開扉操作と同時に車椅子を前進・後退操作しなければならないという不便さは依然として残っていた。
【０００８】
また、ドアハンドル２はドア本体１に近接した状態でドア本体１に設けられていることから、車椅子Ｓの先端（足元）がドア本体１に当接する直前まで前進させたとしても、ドアハンドル２の設置高さが比較的高いことと相俟って、単に手を伸ばしただけではドアハンドル２に届かず、身を乗り出すようにしないとならないという問題も生じていた。
【０００９】
そこで、本発明は、ドア本体から離れた位置で身を乗り出すことなく容易にドア本体の開閉操作を行うことができ、しかも、ドア本体の開閉操作と車椅子の前進・後退操作とを同時行う手間を軽減することができるドア開閉操作装置を提供することを目的とする。
【課題を解決するための手段】
【００１０】
本発明は、鍵箱に出没可能に設けられたラッチと、前記鍵箱に設けられて前記ラッチと係合してロック状態を維持する制御レバーと、ドアハンドルの押し・引き操作に連動して前記制御レバーと前記ラッチとの係合状態を解除する伝達部材と、を備えたドア開閉操作装置において、前記ドアハンドルとは独立した離間位置に配置されて引き下げ可能な遠隔操作用のハンドルと、該ハンドルと前記伝達部材との間に架設されたワイヤと、前記遠隔操作用のハンドルの引き下げ操作によって前記ワイヤに前記ドアハンドルによる押し・引き操作と同一の押し・引き作用を発生させる複数のローラと、を備えていることを特徴とする。
【００１１】
そして、本発明のドア開閉操作装置は、ドア本体が所定角度以上に開扉している際には前記ドア本体をさらに開扉方向に回動させるドアクローザを備えていることを特徴とする。
【００１２】
また、本発明のドア開閉操作装置は、前記ワイヤと前記伝達部材との間に動作変換機構を備え、該動作変換機構は、前記ワイヤが枢設される水平回転可能なレバーと、該レバーの水平回転動作に伴ってスライド可能なように設けられるカムスライダーと、該カムスライダーのスライド動作に伴って昇降可能に設けられ、前記伝達部材が係合するアームと、を備え、前記遠隔操作用のハンドルを引き下げ操作すると、前記ワイヤを介して前記レバーが水平回転し、前記カムスライダーがスライドすることにより、前記アームが上昇し、前記伝達部材が前記制御レバーと前記ラッチとの係合状態を解除させるように動作することを特徴とする。
【発明の効果】
【００１３】
本発明のドア開閉操作装置によれば、ドア本体から離れた位置で身を乗り出すことなく容易にドア本体の開閉操作を行うことができ、しかも、ドア本体の開閉操作と車椅子の前進・後退操作とを同時行う手間を軽減することができる。
【図面の簡単な説明】
【００１４】
【図１】本発明の一実施形態に係るドア開閉操作装置の説明図である。
【図２】本発明の一実施形態に係るドア開閉操作装置に適用される鍵箱の断面図である。
【図３】本発明の一実施形態に係るドア開閉操作装置に適用されるドアハンドルの断面図である。
【図４】本発明の一実施形態に係るドア開閉操作装置の作用を示すドア閉扉状態の要部の説明図である。
【図５】本発明の一実施形態に係るドア開閉操作装置の作用を示すドア開扉状態の要部の説明図である。
【図６】本発明の一実施形態に係るドア開閉操作装置の作用を示すドア完全開扉状態の要部の説明図である。
【図７】本発明の一実施形態に係るドア開閉操作装置の作用を示し、（Ａ）はドア押し側のワイヤ変化の説明図、（Ｂ）はドア引き側のワイヤ変化の説明図、（Ｃ）はリンク部材の説明図である。
【図８】従来のドア開閉操作装置を示す要部の説明図である。
【図９】本発明の別の実施形態に係るドア開閉装置の説明図である。
【図１０】本発明の別の実施形態に係るドア開閉装置に適用される鍵箱の要部のみを示す断面図である。
【図１１】本発明の別の実施形態に係るドア開閉装置の鍵箱の制御レバーを示す側面図である。
【図１２】本発明の別の実施形態に係るドア開閉装置の動作変換機構を示す平面図である。
【図１３】図１２のＡ−Ａ断面図である。
【図１４】本発明の別の実施形態に係るドア開閉装置の作用を示す説明図である。
【発明を実施するための形態】
【００１５】
先ず、本発明の一実施形態に係るドア開閉操作装置について、図面を参照して説明する。尚、以下に示す実施例は本発明のドア開閉操作装置における好適な具体例であり、技術的に好ましい種々の限定を付している場合もあるが、本発明の技術範囲は、特に本発明を限定する記載がない限り、これらの態様に限定されるものではない。
【００１６】
図１は本発明の一実施形態に係るドア開閉操作装置の説明図、図２は本発明の一実施形態に係るドア開閉操作装置に適用される鍵箱の断面図、図３は本発明の一実施形態に係るドア開閉操作装置に適用されるドアハンドルの断面図、図４は本発明の一実施形態に係るドア開閉操作装置の作用を示すドア閉扉状態の要部の説明図、図５は本発明の一実施形態に係るドア開閉操作装置の作用を示すドア開扉状態の要部の説明図、図６は本発明の一実施形態に係るドア開閉操作装置の作用を示すドア完全開扉状態の要部の説明図、図７は本発明の一実施形態に係るドア開閉操作装置の作用を示し、図７（Ａ）はドア押し側のワイヤ変化の説明図、図７（Ｂ）はドア引き側のワイヤ変化の説明図、図７（Ｃ）はリンク部材の説明図である。
【００１７】
図１において、建物内の出入口にヒンジ機構（図示せず）を介して回動可能に取り付けられたドア本体１０には、その一方のドア縦縁部（戸先）１０ａに内設された鍵箱１１と、鍵箱１１に回動変位可能に保持されたラッチ１２と、鍵箱１１に設けられてドア本体１０の両面で開閉を操作するドアハンドル１３，１４と、ドア本体１０の開閉を補助するドアクローザ１５と、ドア本体１０から離間した位置でドアハンドル１３，１４とは独立してドア本体１０の開閉を操作する遠隔ドアハンドル１６，１７と、が設置されている。
【００１８】
鍵箱１１は、図２に示すように、ドア縦縁部１０ａに固定される化粧板１８と、化粧板１８に重合される補強板１９と、補強板１９に固定される鍵箱本体２０と、鍵箱本体２０の内部で回動可能に支持されてその一部が鍵箱１１から出没可能とされたラッチ１２と、補強板１９に固定されたラッチガイド２１と、ラッチガイド２１に固定されてラッチ１２を覆うラッチ収納空間２２を形成するバネ受２３と、バネ受２３に一端が弾接支持されたコイルバネ２４と、コイルバネ２４の他端が弾接してラッチ１２を突出方向に付勢するラッチ受２５と、バネ受２３の上下に配置された制御レバー２６，２７と、ドアハンドル１３，１４の操作によって制御レバー２６，２７を回動させる伝達部材２８，２９と、一方の伝達部材２８に下端が係合するアーム部材３０と、を備えている。
【００１９】
ラッチ１２は、平面視略平行四辺形のブロック体から構成され、鍵箱１１のラッチガイド２１の開口２１ａから先端の一部が出没可能とされ、開口２１ａから外方に突出しているときに対向するドア開口縁部に設けられたストライク（図示せず）と係合することで閉扉状態が維持される。また、ラッチ１２はラッチ収納空間２２に収納され、化粧板１８に垂直な前後方向（紙面左右方向）に移動可能に、かつ、ラッチ１２の平行四辺形の中心軸（平行四辺形の対角線の交点を鉛直に貫通する軸）の回りを回動可能に案内されている。
【００２０】
制御レバー２６，２７は、鍵箱１１の上下に一対設けられており、略水平方向に伸びる操作アーム部２６ａ，２７ａと、操作アーム部２６ａ，２７ａの略中央付近から互いに接近する方向に突出して端部が重なり合う連結アーム部２６ｂ，２７ｂと、連結アーム部２６ｂ，２７ｂに形成された長孔２７ｃ（一方のみ図示）に係合する連結ピン３１と、を備えている。また、制御レバー２６，２７は、バネ受２３の上下面に形成されたスリット２３ａ，２３ｂを通って、ラッチ１２に係合可能に臨んでいる。さらに、各制御レバー２６，２７は、鍵箱１１にレバー支持軸３２，３３を介して回動可能に支承されている。また、一方（図示下方）のレバー支持軸３３には、一対の制御レバー２６，２７によってラッチ１２を挟みつけるように係合状態を維持するためのロックバネ３４が巻装されている。これにより、ラッチ１２の回動が規制され、ドア本体１０の不測な開扉が阻止されている。
【００２１】
ドアハンドル１３，１４は、図３に示すように、ドア本体１０の両面に固定されたハンドルベース３５，３６と、ハンドルベース３５，３６に支持されて開閉操作する人が握持するハンドル本体３７，３８と、ハンドル本体３７，３８の操作によって回動する解除アーム３９，４０と、を備え、ドア本体を開扉する際のハンドル本体３７，３８の押し・引き操作に連動して解除アーム３９，４０の先端が上方に変位する。
【００２２】
この解除アーム３９，４０の先端は、鍵箱１１に形成された開口１１ａを貫通して伝達部材２８，２９の間に位置している。これにより、図１及び図３において、ドアハンドル１３の場合には押し操作によって解除アーム３９の先端が上方に回動変位し、ドアハンドル１４の場合には引き操作によって解除アーム４０の先端が上方に回動変位する。そして、解除アーム３９，４０が上方に変位すると、伝達部材２８と一体に下端フランジ部２８ａが上方に変位し、制御レバー２７がレバー支持軸３３を回動支点としてロックバネ３４の付勢に抗して回動し、制御レバー２６，２７とラッチ１２との係合状態が解除されるようになっている。
【００２３】
このようにドアハンドル１３，１４を押し・引き操作することにより、鍵箱１１の内部の各構成部材が上記した一連の動作を行い、制御レバー２６，２７とラッチ１２との係合が解除され、ラッチ１２の回動変位が許容され、ドア本体１０が開扉可能な状態となる。
【００２４】
ドアクローザ１５は、本出願人による特許出願（特願２００６−１７１８６７）に記載されているように、ドア本体１０の支持側端縁付近に突設された作動腕の先端に、突出時に緩衝される型式のスプリングダンパーのピストンの先端をリンク結合すると共に、スプリングダンパーのシリンダの基端をドア枠に揺動可能に支承した構成を有している。そして、このドアクローザ１５は、人為的な開閉操作荷重が加わっていない状態では、ドア本体１０が所定開扉角度（例えば、４５°未満）の場合にはドア本体１０を緩やかに閉扉方向に回動させ、ドア本体１０が所定開扉角度（例えば、４５°以上）の場合にはドア本体１０を緩やかに開扉方向に回動させる。
【００２５】
遠隔ドアハンドル１６は、図１，図４乃至図６に示すように、ドア本体１０を押す方向に開扉するように構成されており、ドア本体１０から離れた建物壁面付近に位置して下方に引っ張り操作可能な押側ハンドル４１と、押側ハンドル４１とアーム部材３０との間に架設された押側ワイヤ４２と、建物に回転可能に固定された複数の建物固定押側ローラ４３，４４，４５と、ドア本体１０にブラケット４６を介して回転可能に固定された複数のドア固定押側ローラ４７，４８，４９と、を備えている。
【００２６】
遠隔ドアハンドル１７は、ドア本体１０を引く方向に開扉するように構成されており、ドア本体１０から離れた建物壁面付近に位置して下方に引っ張り操作可能な引側ハンドル５０と、引側ハンドル５０とアーム部材３０との間に架設された引側ワイヤ５１と、建物に回転可能に固定された複数の建物固定引側ローラ５２，５３，５４と、ドア本体１０に回転可能に固定された複数のドア固定引側ローラ５５，５６と、を備えている。
【００２７】
このような構成を備えたドア開閉操作装置において、例えば、車椅子Ｓを利用した人がドア本体１０から離れた位置から各ハンドル４１，５０を引き下げると、その引き下げ操作に連動してワイヤ４２，５１を介してアーム部材３０が引き上げられることにより、伝達部材２８が下端フランジ部２８ａと一体に上方に変位する。この伝達部材２８の下端フランジ部２８ａの上方への変位により、制御レバー２７はレバー支持軸３３を回動支点としてロックバネ３４の付勢に抗して回動する。この時、連結ピン３１が長孔２７ｃに案内されて変位するため、制御レバー２７はこの連結ピン３１の変位に連動してレバー支持軸３２を回動支点として回動する。これにより、制御レバー２６，２７とラッチ１２との係合状態が解除され、ラッチ１２の回動変位が許容され、ラッチ１２とストライクとの係合が解除され、図４に示すドア閉扉状態から、図５に示す開扉状態へとドア本体１０を回動させることができる。
【００２８】
そして、ドア本体１０が所定角度（例えば、４５°）以上回動するように、各ハンドル４１，５０が引き下げられると、ドアクローザ１５の開扉作用により、図６に示すように、自動的に完全開扉状態とすることができ、車椅子Ｓを利用した人であっても、ドア本体１０の開放操作と車椅子Ｓの後退操作とを同時に行うことなく、ドア開扉操作を行うことができる。
【００２９】
ところで、各ハンドル４１，５０は、ドア本体１０の開度によって、建物固定各ローラ４５，５４とドア固定各ローラ４７（又は４８），５５との相対距離が変化するため、その変化に応じて上下する。したがって、図７（Ａ）に示すように、押側の各ローラ４５，４７（又は４８）との相対距離と、図７（Ｂ）に示すように、引側の各ローラ５４，５５との相対距離とは、その変化量が同じとなるように配置するのか好ましい。
【００３０】
また、閉扉状態から４５°の開扉状態との間での押側の各ローラ４５，４７（又は４８）との相対距離及び引側の各ローラ５４，５５との相対距離は、完全開扉状態と４５°の開扉状態との間での押側の各ローラ４５，４７（又は４８）との相対距離及び引側の各ローラ５４，５５との相対距離と同じとするのが好ましい。
【００３１】
また、各ハンドル４１，５０は、その中間地点である４５°付近で最下位置にあり、その前後の開扉位置及び閉扉位置では、それより上方の位置にある。したがって、ドア本体１０が完全開扉状態にあるときでも、各ハンドル４１，５０を引き下げることにより、ドア本体１０がドアクローザ１５の開扉方向の付勢に抗して閉扉方向に回動し、ドア本体１０が４５°未満の位置にまで手動で閉扉操作されると、それ以降はドアクローザ１５の閉扉方向への引き寄せ作用によってドア本体１０を閉扉状態とすることができる。
【００３２】
なお、遠隔操作ハンドル１６，１７によるドア本体１０の開閉操作のための引き下げ量はアーム部材３０による伝達部材２８の押し上げ量に比べてはるかに大きいことから、この差を対比して、図７（Ｃ）に示すように、回動軸５７の位置を対比量に合わせた位置としたリンク部材５８をドア本体１０の内部に設けるのが好ましい。
【００３３】
次に、本発明の別の実施形態に係るドア開閉操作装置について、図面を参照して説明する。尚、以下に示す実施例は本発明のドア開閉操作装置における好適な具体例であり、技術的に好ましい種々の限定を付している場合もあるが、本発明の技術範囲は、特に本発明を限定する記載がない限り、これらの態様に限定されるものではない。
【００３４】
図９は本発明の別の実施形態に係るドア開閉装置の説明図、図１０は本発明の別の実施形態に係るドア開閉装置に適用される鍵箱の要部のみを示す断面図、図１１は本発明の別の実施形態に係るドア開閉装置の鍵箱の制御レバーを示す側面図、図１２は本発明の別の実施形態に係るドア開閉装置の動作変換機構を示す平面図、図１３は図１２のＡ−Ａ断面図、図１４は本発明の別の実施形態に係るドア開閉装置の作用を示す説明図である。
【００３５】
図９において、建物内の出入口にヒンジ機構（図示せず）を介して回動可能に取り付けられたドア本体６０には、その一方のドア縦縁部（戸先）６０ａに内設された鍵箱６１と、鍵箱６１に回動変位可能に保持されたラッチ６２と、鍵箱６１に設けられてドア本体６０の両面で開閉を操作するドアハンドル６３，６４と、ドア本体６０の開閉を補助するドアクローザ６５と、ドア本体６０から離間した位置でドアハンドル６３，６４とは独立してドア本体６０の開閉を操作する遠隔操作手段６６と、が設置されている。
【００３６】
鍵箱６１は、図１０に示すように、鍵箱本体６７の内部で回動可能に支持されてその一部が鍵箱本体６７から出没可能とされたラッチ６２と、ラッチ６２に係合可能且つ鉛直方向に回転可能に設けられた制御レバー６８と、制御レバー６８をラッチ６２側に付勢するロックバネ６９と、制御レバー６８に係合可能且つ鉛直方向に回転可能に設けられた伝達部材７０と、を備えている。
【００３７】
ラッチ６２は、平面視略平行四辺形のブロック体から構成され、鍵箱本体６７の外方に突出しているときに対向するドア開口縁部に設けられたストライク（図示せず）と係合することで閉鎖状態が維持される。
【００３８】
制御レバー６８は、制御レバー支持軸７１を挟んで、一端側に形成されたラッチ６２に係合するラッチ係合部７２と、他端側に形成された伝達部材７０が係合する伝達部材係合部７３とを備えており、伝達部材係合部７３は、図１１に示されているように、直角に屈曲して水平に形成されている。
【００３９】
伝達部材７０は、伝達部材支持軸７４を挟んで、一端側に形成された制御レバー６８に係合する制御レバー係合部７５と、鍵箱本体６７の外部に突出するアーム係合部７６とを備えて構成されている。
【００４０】
なお、ドアハンドル６３，６４、及びドアクローザ６５は、上記した一実施形態に係るドア開閉操作装置の場合と同様の構成を有しているため、ここでの説明は省略する。
【００４１】
遠隔操作手段６６は、ドア本体６０を引く方向に開放するように構成されており、ドア本体６０に設けられた動作変換機構７７と、ドア本体６０の閉鎖位置を挟んでそれぞれ反対側に吊設された第１ハンドル７８及び第２ハンドル７９と、動作変換機構７７と第１ハンドル７８との間に設けられた第１ワイヤ８０と、動作変換機構７７と第２ハンドル７９との間に設けられた第２ワイヤ８１と、を備えて構成されている。
【００４２】
動作変換機構７７は、第１ワイヤ８０及び第２ワイヤ８１がそれぞれ枢設される水平回転可能なレバー８２と、レバー８２の水平回転動作に伴ってスライド可能なように設けられた一方のカムスライダー８３ａと、一方（図示左側）のカムスライダー８３ａに対向する位置に固定された他方のカムスライダー８３ｂと、一方のカムスライダー８３ａのスライド動作に伴って昇降可能に設けられたアーム８５と、アーム８５の昇降動作を案内するアームガイド８６とを備えて構成されている。
【００４３】
レバー８２は、平板形状を成し、レバー８２の一端部には、略円筒形状のワイヤ支持具８７が上下に貫挿されており、レバー８２の上下において第１ワイヤ８０及び第２ワイヤ８１の各端部がワイヤ支持具８７にそれぞれ枢設されている。また、レバー８２のレバー支持軸８８を挟んでレバー８２の一端部の反対側の他端部には、ピン８９が下方に突出するように取り付けられている。
【００４４】
各カムスライダー８３ａ，８３ｂは、左右対称形状を有し、各カムスライダー８３ａ，８３ｂの遠端部にはスライド方向に直交する方向に溝部９０ａ，９０ｂがそれぞれ形成されており、一方のカムスライダー８３ａの溝部９０ａにレバー８２のピン８９が係合している。また、各カムスライダー８３ａ，８３ｂには、それぞれ近接方向に向かって下傾する傾斜面９１ａ，９１ｂが形成されている。さらに、各カムスライダー８３ａ，８３ｂの近端部には、半円柱形状の軸部９２ａ，９２ｂが突設されており、各カムスライダー８３ａ，８３ｂが近接方向にスライドして軸部９２ａ，９２ｂが重合すると、円柱形状を成すようになっている。そして、各軸部９２ａ，９２ｂには、コイルバネ９３が周設されており、このコイルバネ９３により一方のカムスライダー８３ａが他方のカムスライダー８３ｂから離間する方向に付勢されている。
【００４５】
なお、製造上の都合等により、他方のカムスライダー８３ｂにも一方のカムスライダー８３ａと同様に、溝部９０ｂ、傾斜面９１ｂ、及び軸部９２ｂが形成されているが、これらは必ずしも形成されていなくてもよい。また、この場合、他方のカムスライダー８３ｂは固定されているが、一方のカムスライダー８３ａのスライド動作に合わせて各カムスライダー８３ａ，８３ｂが互いに近接離間方向にスライドするように構成してもよい。
【００４６】
アーム８５は、板状部材を縦長に屈曲して形成させたアーム本体フレーム９４と、アーム本体フレーム９４の上端部に嵌合される直方体形状のアームブロック体９５とにより構成されている。アーム本体フレーム９４の上端部には縦長の長孔９６が形成され、アームブロック体９５には長孔９６に対応する位置にネジ孔９７が形成されており、これにより、アーム本体フレーム９４に対するアームブロック体９５の上下方向の取り付け位置が調整可能となっている。また、アーム本体フレーム９４の下端部には、角孔９８が形成されており、この角孔９８に伝達部材係合部７３が鉛直方向に回転可能に係合している。
【００４７】
第１ワイヤ８０は、一端が第１ハンドル７８に接続され、ローラ９９，１００及びローラ群１０１，１０２を介して、他端がレバー８２のワイヤ支持具８７の上端部に接続されている。また、第２ワイヤ８１は、一端が第２ハンドル７９に接続され、ローラ１０３及びローラ群１０１，１０２を介して、他端がレバー８２のワイヤ支持具８７の下端部に接続されている。
【００４８】
このような構成を備えたドア開閉操作装置において、例えば、車椅子を利用した人がドア本体６０から離れた位置において第１ハンドル７８又は第２ハンドル７９を引き下げると、その引き下げ操作に連動して、第１ワイヤ８０又は第２ワイヤ８１を介してレバー８２がレバー支持軸８８を支点に水平回転する。図１２において二点鎖線で示すように、このレバー８２の水平回転に伴い、ピン８９が溝部９０ａに沿ってスライドし、一方（図１２では左側）のカムスライダー８３ａが他方（図１２では右側）のカムスライダー８３ｂ側にスライドすることにより、アームブロック体９５がカムスライダー８３ａの傾斜面９１ａによって持ち上げられ、アーム８５はアームガイド８６に案内されて鉛直方向に上昇する。
【００４９】
このようにアーム８５が上昇することに伴い、伝達部材７０は伝達部材支持軸７４を支点として（図１０の反時計回り方向に）回転する。そして、この伝達部材７０の回転により、制御レバー６８はレバー支持軸７１を支点としてロックバネ６９の付勢に抗して（図１０の時計回り方向に）回転する。これにより、制御レバー６８のラッチ係合部７２とラッチ６２との係合状態が解除され、ラッチ６２の回動変位が許容され、ラッチ６２とストライクとの係合が解除され、図１４に示すように、ドア本体６０を閉鎖状態（図１４の実線部分参照）から開放状態（図１４の二点鎖線部分参照）へと回動させることができる。
【００５０】
そして、ドア本体６０が所定角度（例えば、４５°）以上回動するように、第１ハンドル７８又は第２ハンドル７９が引き下げられると、ドアクローザ６５の開扉作用により、自動的にドア本体６０は完全に開放された状態となり、車椅子を利用した人であっても、ドア本体６０の開放操作と車椅子の後退操作とを同時に行うことなく、ドア開放操作を行うことができる。
【符号の説明】
【００５１】
Ｓ…車椅子
１０…ドア本体
１０ａ…ドア縦縁部
１１…鍵箱
１２…ラッチ
１３…ドアハンドル（押側）
１４…ドアハンドル（引側）
１５…ドアクローザ
１６…遠隔ドアハンドル（押側）
１７…遠隔ドアハンドル（引側）
２６…制御レバー
２７…制御レバー
２８…伝達部材
２９…伝達部材
３０…アーム部材
４１…押側ハンドル
５０…引側ハンドル
６１…鍵箱
６２…ラッチ
６８…制御レバー
７０…伝達部材
７８…動作変換機構
８０…第１ワイヤ
８１…第２ワイヤ
８２…レバー
８３ａ…カムスライダー
８５…アーム
【図１】
2011226242.tif 000003
【図２】
2011226242.tif 000004
【図３】
2011226242.tif 000005
【図４】
2011226242.tif 000006
【図５】
2011226242.tif 000007
【図６】
2011226242.tif 000008
【図７】
2011226242.tif 000009
【図８】
2011226242.tif 000010
【図９】
2011226242.tif 000011
【図１０】
2011226242.tif 000012
【図１１】
2011226242.tif 000013
【図１２】
2011226242.tif 000014
【図１３】
2011226242.tif 000015
【図１４】
2011226242.tif 000016